(57)【要約】【課題】音声を含むコンテンツが、受信側で音声が聴こえる状態で再生されたかどうかを把握する手段を提供する。【解決手段】音声を含むコンテンツの再生状況を解析する再生状況調査システムであって、再生装置においてコンテンツが再生されている時の再生ソフトウェアの音量と、再生装置を特定する識別子と、を含む再生ソフトウェア音量履歴情報を取得する再生ソフトウェア音量取得部と、再生ソフトウェア音量履歴情報をコンテンツ毎に管理し、各履歴情報に含まれる再生ソフトウェア音量に基づいて、前記再生ソフトウェア音量が所定値以上かどうかを判断するコンテンツ再生状況判断部とを備える。【選択図】図３
2020009000.tif 000002
【特許請求の範囲】
【請求項１】
音声のみ又は音声を含むコンテンツの再生状況を解析する再生状況調査システムであって、
再生装置において前記コンテンツが再生されている時の再生ソフトウェアの音量と、前記再生装置を特定する識別子と、を含む再生ソフトウェア音量履歴情報を取得する再生ソフトウェア音量取得部と、
前記再生ソフトウェア音量履歴情報を前記コンテンツ毎に管理し、各履歴情報に含まれる再生ソフトウェア音量に基づいて、前記再生ソフトウェア音量が所定値以上かどうかを判断するコンテンツ再生状況判断部と、を備えた再生状況調査システム。
【請求項２】
前記再生ソフトウェア音量取得部は、
前記コンテンツに付帯された再生ソフトウェアに組み込まれたツールを介して、再生ソフトウェアの音量と、前記再生装置を特定する識別子を取得する、請求項１に記載の再生状況調査システム。
【請求項３】
前記再生装置に実装されたスピーカーの音量を含むスピーカー音量履歴情報を取得するスピーカー音量取得部と、
同一の再生装置において同時間帯に取得された、前記再生ソフトウェア音量履歴情報と前記スピーカー音量履歴情報を照合する履歴情報照合部と、を備え、
前記コンテンツ再生状況判断部は、
照合した２つの履歴情報にそれぞれ含まれる再生ソフトウェア音量とスピーカー音量に基づいて、それぞれの音量が所定値以上かどうかを判断する、請求項１または２に記載の再生状況調査システム。
【請求項４】
前記スピーカー音量取得部は、
前記再生装置にインストールされたツールを用いて、前記再生装置のオペレーティングシステムが管理するＡＰＩを参照することにより、前記再生装置に実装されたスピーカーの音量を取得する、請求項３に記載の再生状況調査システム。
【請求項５】
音声を含むコンテンツの再生状況を解析する再生状況調査方法であって、
再生装置において前記コンテンツが再生されている時の再生ソフトウェアの音量と、前記再生装置を特定する識別子と、を含む再生ソフトウェア音量履歴情報を取得する工程と、
前記再生ソフトウェア音量履歴情報を前記コンテンツ毎に管理し、各履歴情報に含まれる再生ソフトウェア音量に基づいて、前記再生ソフトウェア音量が所定値以上かどうかを判断する工程と、を備えた再生状況調査方法。
【請求項６】
コンピュータを
再生装置において前記コンテンツが再生されている時の再生ソフトウェアの音量と、前記再生装置を特定する識別子と、を含む再生ソフトウェア音量履歴情報を取得する再生ソフトウェア音量取得部と、
前記再生ソフトウェア音量履歴情報を前記コンテンツ毎に管理し、各履歴情報に含まれる再生ソフトウェア音量に基づいて、前記再生ソフトウェア音量が所定値以上かどうかを判断するコンテンツ再生状況判断部と、して機能させるプログラム。
【発明の詳細な説明】
【技術分野】
【０００１】
本発明は、動画広告などの音声を含むデジタルコンテンツの再生状況調査システム、再生状況調査方法、及びプログラムに関する。
【背景技術】
【０００２】
近年、インターネット上で配信されるデジタル広告などのコンテンツは、特許文献１などに記載されているように、動画広告のように音声を含むものが主流になっている。
【先行技術文献】
【特許文献】
【０００３】
【特許文献１】特開２０１８−２２９９５号公報
【発明の概要】
【発明が解決しようとする課題】
【０００４】
動画広告の場合、画像と音声の両方が再生されてはじめて全ての情報が伝わるように作成されている。このため、広告の出稿者にとっては、音声が視聴者に充分聴こえる状態で動画が再生されたかどうかを把握することは重要である。
【０００５】
そこで、本発明は、音声を含むコンテンツが、受信側で音声が聴こえる状態で再生されたかどうかを把握する手段を提供することを目的とする。
【課題を解決するための手段】
【０００６】
本発明に係る再生状況調査システムは、音声を含むコンテンツの再生状況を解析する再生状況調査システムであって、
再生装置において前記コンテンツが再生されている時の再生ソフトウェアの音量と、前記再生装置を特定する識別子と、を含む再生ソフトウェア音量履歴情報を取得する再生ソフトウェア音量取得部と、
前記再生ソフトウェア音量履歴情報を前記コンテンツ毎に管理し、各履歴情報に含まれる再生ソフトウェア音量に基づいて、前記再生ソフトウェア音量が所定値以上かどうかを判断するコンテンツ再生状況判断部とを備えたものである。
【０００７】
本発明に係る再生状況調査方法は、音声を含むコンテンツの再生状況を解析する再生状況調査方法であって、
再生装置において前記コンテンツが再生されている時の再生ソフトウェアの音量と、前記再生装置を特定する識別子と、を含む再生ソフトウェア音量履歴情報を取得する工程と、
前記再生ソフトウェア音量履歴情報を前記コンテンツ毎に管理し、各履歴情報に含まれる再生ソフトウェア音量に基づいて、前記再生ソフトウェア音量が所定値以上かどうかを判断する工程とを備えたものである。
【０００８】
本発明に係るプログラムは、コンピュータを、
再生装置において前記コンテンツが再生されている時の再生ソフトウェアの音量と、前記再生装置を特定する識別子と、を含む再生ソフトウェア音量履歴情報を取得する再生ソフトウェア音量取得部と、
前記再生ソフトウェア音量履歴情報を前記コンテンツ毎に管理し、各履歴情報に含まれる再生ソフトウェア音量に基づいて、前記再生ソフトウェア音量が所定値以上かどうかを判断するコンテンツ再生状況判断部として機能させるものである。
【発明の効果】
【０００９】
本発明によれば、音声を含むコンテンツが、受信側で音声が聴こえる状態で再生されたかどうかを把握する手段を提供することができる。
【図面の簡単な説明】
【００１０】
【図１】本発明の実施の形態１による、再生状況調査システム１の概略を示すブロック図。
【図２】本発明の実施の形態１による、再生状況収集サーバ１０の機能構成を示すブロック図。
【図３】本発明の実施の形態１による、動画プレイヤーの音量のログ収集処理のシーケンス図。
【図４】本発明の実施の形態１による、動画プレイヤーの音量のログの例を示す図。
【図５】本発明の実施の形態２による、再生状況収集サーバ４０の機能構成を示すブロック図。
【図６】本発明の実施の形態２による、ユーザ端末３００のスピーカーの音量のログ収集処理、および動画プレイヤーと端末スピーカーの音量のログの照合処理のシーケンス図。
【図７】本発明の実施の形態２による、スピーカー音量のログの例を示す図。
【図８】本発明の実施の形態２による、動画プレイヤーの音量ログと端末スピーカーの音量ログの照合処理を説明する図。
【発明を実施するための形態】
【００１１】
次に、本発明を実施するための形態について、図面を参照して詳細に説明する。
実施の形態１．
図１は、本発明の実施の形態による再生状況調査システム１の概略を示すブロック図である。図１に示すように、再生状況調査システム１は、再生状況収集サーバ１０、コンテンツ配信サーバ２０、ユーザ端末（再生装置）３０を含んでいる。再生状況収集サーバ１０、コンテンツ配信サーバ２０、ユーザ端末３０は、通信ネットワークＮを介して接続されている。通信ネットワークＮは、有線又は無線ネットワークであり、インターネット、ＬＡＮ、専用線、電話回線、企業内ネットワーク、移動体通信網、ブルートゥース（登録商標）、ＷｉＦｉ（Wireless Fidelity）、その他の通信回線、それらの組み合わせ等を含む。
【００１２】
再生状況収集サーバ１０は、コンテンツの再生状況調査を行う調査センター内に設置され、ユーザ端末３０で所定の音声付き動画コンテンツが再生された際の再生状況ログを収集し、再生状況調査を行う。
【００１３】
再生状況収集サーバ１０は、コントローラ１１と記憶装置１２を備えている。コントローラ１１は、ハードウェアとして、ＣＰＵ、ＲＯＭやＲＡＭ等のメモリ、入力インタフェース、出力インタフェース、通信インタフェース及びこれらを結ぶバス等を備えている。
【００１４】
コントローラ１１は、ＣＰＵがＲＯＭ等に格納されたプログラムを実行することにより各種機能を実現する。図２は、コントローラ１１によって実現される機能モジュールを示すブロック図である。図２に示すように、コントローラ１１によって実現される機能モジュールには、動画プレイヤー音量取得部１１１と、コンテンツ再生状況判断部１１２が含まれる。
【００１５】
記憶装置１２は、ハードディスクドライブ等であり、動画プレイヤー音量履歴記憶部１２１を実装している。動画プレイヤー音量履歴記憶部１２１には、ユーザ端末３０で音声付き動画が再生された時の動画プレイヤー（再生ソフトウェア）の音量を含むログデータ（動画プレイヤー音量履歴）が記録されている。
【００１６】
コンテンツ配信サーバ２０は、ユーザ端末３０に動画広告などの動画コンテンツを配信するサーバである。コンテンツ配信サーバ２０は、汎用的なコンピュータによって構成され、そのコンピュータにおいて所定のサーバ用プログラムが動作することにより、サーバ機能を実現するものである。コンテンツ配信サーバ２０は、コントローラ２１と記憶装置２２を備えている。コントローラ２１は、ハードウェアとして、ＣＰＵ、ＲＯＭやＲＡＭ等のメモリ、入力インタフェース、出力インタフェース、通信インタフェース及びこれらを結ぶバス等を備えている。
【００１７】
ユーザ端末３０は、音声付き動画コンテンツを視聴する視聴者が所有する、スマートフォン、携帯電話、タブレット端末、パーソナルコンピュータ（ＰＣ）、ノートＰＣ、ウェアラブルデバイス、スマートテレビ、スマートスピーカー（ＡＩスピーカー）、デジタルサイネージなどの端末である。ユーザ端末３０は、プロセッサ３１、操作ボタンやタッチパネルなどの入力装置３２、液晶ディスプレイなどの表示装置３３、通信インタフェース３４、ディスクドライブまたは半導体メモリ（ＲＯＭ、ＲＡＭなど）などの記憶装置３５を備えている。
【００１８】
（動画プレイヤーの音量ログの収集）
次に、再生状況調査システム１による音声付き動画再生時の動画プレイヤーの音量ログの収集処理について図３のシーケンス図を用いて説明する。再生状況調査システム１は、収集したログに基づいて、調査対象となる音声付き動画広告Ａが再生された際、音声が聴こえる状態で再生されていたかどうかの調査を行う。
【００１９】
コンテンツ配信サーバ２０は、ユーザ端末３０に通信ネットワークＮを介して音声付き動画広告Ａを配信する（ステップＳ１０１）。
【００２０】
音声付き動画広告Ａには、ブラウザやアプリケーションプログラム（アプリ）等において音声付き動画を再生可能な動画プレイヤーが付帯されている。動画プレイヤーには、再生時の音量を計測するためのＳＤＫ（Software Development kit）が組み込まれている。
【００２１】
また、コンテンツ配信サーバ２０は、音声付き動画広告Ａと共に、測定タグ（ブラウザやアプリ上で動作するプログラム）をユーザ端末３０に送信する。測定タグは、計測された再生時の音量等の情報をＳＤＫから取得し、再生状況収集サーバ１０に送信する機能を有するタグである。
【００２２】
ユーザ端末３０において、音声付き動画広告Ａが動画プレイヤーによって再生されると（ステップＳ１０２：ＹＥＳ）、ＳＤＫは、再生時の動画プレイヤーの音量の情報と、ユーザ端末３０を特定する識別子を取得し、測定タグに供給する（ステップＳ１０３）。
【００２３】
動画プレイヤーの音量は、視聴者が音声付き動画広告Ａの再生中に動画の下方などに表示される音量調節マークを操作することにより変更可能である。ＳＤＫは音声付き動画広告Ａの再生時の音量の値として、例えば、再生開始時の音量を取得してもよいし、再生終了時や中間時点での音量を取得してもよい。また、再生中の音量の平均値や、最大値または最小値を採用するようにしてもよい。また、音量の代わりにＯＮ／ＯＦＦの状態を取得するようにしてもよい。
【００２４】
ユーザ端末３０を特定する識別子（再生装置を特定する識別子）は、例えば、ユーザ端末３０がパーソナルコンピュータで、音声付き動画広告Ａがブラウザ上で再生される音声付き動画の場合には、ブラウザから取得したＣｏｏｋｉｅ値等のソフトウェアの識別子とすることができる。また、例えばユーザ端末３０がスマートフォンで、音声付き動画広告Ａがアプリで再生される音声付き動画の場合には、アプリから取得したＡｄＩＤ（Advertising ID）等のデバイスの識別子とすることができる。ただし、識別子はこれらに限定されない。
【００２５】
測定タグは、ＳＤＫから取得した再生時の音量の情報とユーザ端末３０の識別子と併せて、再生された音声付き動画広告Ａの識別子と履歴取得日時の情報（ログ）を再生状況収集サーバ１０に送信する（ステップＳ１０４）。
【００２６】
再生状況収集サーバ１０は、受信した情報を動画プレイヤー音量履歴記憶部１２１に記録する（ステップＳ１０５）。図４に示すように、動画プレイヤー音量履歴記憶部１２１に記録された履歴の１レコードには、音声付き動画広告ＡのＩＤ（動画ＩＤ）、履歴取得日時、ユーザ端末３０の識別子（端末識別子）、プレイヤーの音量の情報が含まれる。なお、ここでは、音量が所定値以上（例えば、３以上）であれば、音声が聴こえる状態であると判断する。
【００２７】
（音声付き動画の再生状況の調査）
再生状況収集サーバ１０は、動画プレイヤー音量履歴記憶部１２１に記録された履歴に基づいて、動画広告毎に、音声が聴こえる状態（音量が一定値以上、またはＯＮ）で再生された回数や割合を求めることができる。例えば、図４の例では、動画ＡＤ０１については、音量が０でないレコード数は「３」なので、音声が聴こえる状態で再生された回数は「３」である。また、音声が聴こえる状態で再生された割合は、３（音声が聴こえる状態のレコード数）／４（全レコード数）で７５％となる。同様に、動画ＡＤ０２については、音声が聴こえる状態で再生された回数は「２」、音声が聴こえる状態で再生された割合は、２／２で１００％となる。
【００２８】
以上のように、本実施形態によれば、音声付き動画広告に付帯されている動画プレイヤーに組み込まれたＳＤＫから、動画再生時のプレイヤーの音量を取得し、再生状況収集サーバ１０に提供するようにしたので、音声付き動画が、実際に音声が聴こえる状態で再生された回数や割合を把握することができる。
【００２９】
なお、本実施形態では、測定タグがＳＤＫから再生時の音量の情報とユーザ端末３０の識別子を取得し、再生状況収集サーバ１０に送信しているが、ＳＤＫから再生状況収集サーバ１０に直接これらの情報を送信するようにしてもよい。
【００３０】
実施の形態２．
一般に、音声付き動画広告に付帯されている動画プレイヤーの音量がＯＮになっていても、ユーザ端末３０に実装されているスピーカーがＯＦＦになっていたり、音量が小さく設定されていたりすると、動画の再生時に音声を聴くことはできない。このため、実施の形態２では、音声付き動画広告に付帯されている動画プレイヤーの音量と共にユーザ端末３０のスピーカーの音量も収集し、両方の音量に基づいて、音声付き動画が音声が聴こえる状態で再生されたかどうかを把握する。
【００３１】
図５は、実施の形態２による再生状況収集サーバ４０の機能構成を示すブロック図である。図２に示す再生状況収集サーバ２０の各構成と対応する構成には同一の符号を付している。図５に示すように、再生状況収集サーバ４０のコントローラ４１によって実現される機能モジュールには、再生ソフトウェア音量取得部１１１と、コンテンツ再生状況判断部１１２の他、端末スピーカー音量取得部１１３、履歴情報照合部１１４が含まれる。
【００３２】
また、再生状況収集サーバ４０の記憶装置４２は、動画プレイヤー音量履歴記憶部１２１と、端末スピーカー音量履歴記憶部１２２を実装している。端末スピーカー音量履歴記憶部１２２には、予めモニターを依頼した視聴者のユーザ端末３０に実装されたスピーカーの音量のログデータ（端末スピーカー音量履歴）が記録されている。
【００３３】
再生状況収集サーバ４０は、実施の形態１と同様に、音声付き動画広告に付帯されている動画プレイヤーの再生時の音量のログを収集し、動画プレイヤー音量履歴記憶部１２１に記録する。ログの収集処理は、図３に示す処理と同様に行う。
【００３４】
また、再生状況収集サーバ４０は、予めモニターを依頼した視聴者のユーザ端末３０から、ユーザ端末３０に実装されたスピーカーの音量のログを収集し、端末スピーカー音量履歴記憶部１２２に記録する。さらに、再生状況収集サーバ４０は、動画プレイヤー音量履歴記憶部１２１に記録した動画プレイヤー音量履歴と、端末スピーカー音量履歴記憶部１２２に記録した端末スピーカー音量履歴を照合し、動画プレイヤーと端末のスピーカーの両方の音量が十分大きな状態で動画が再生されたかどうかを調査する。
【００３５】
（モニター端末のスピーカーの音量ログの収集、および動画プレイヤーの音量ログとの照合）
図６は、ユーザ端末３０に実装されたスピーカーの音量のログの収集と、動画プレイヤー音量履歴記憶部１２１と端末スピーカー音量履歴記憶部１２２のログの照合処理のシーケンス図である。
【００３６】
モニターとなる視聴者のユーザ端末３０には、ソフトウェアメータ（ツール）がインストールされている。ここでは、ソフトウェアメータは、ユーザ端末３０に実装されたスピーカーの音量（設定音量）を、ユーザ端末３０のオペレーティングシステムが管理するＡＰＩ（Application Programming Interface）を参照して取得する。
【００３７】
ソフトウェアメータがインストールされたユーザ端末３０は、所定の時間間隔で（例えば、１分おき）、ユーザ端末３０に実装されたスピーカーの音量を取得し、再生状況収集サーバ４０に送信する（ステップＳ２０１）。なお、スピーカーの音量を送信するタイミングは、特定のアクションの発生時（例えば、調査対象の音声付き動画広告が掲載されたインターネットサイトの閲覧時、調査対象の音声付き動画広告が再生されるアプリの起動時等）でもよい。また、音量の代わりにスピーカーのＯＮ／ＯＦＦの状態を取得するようにしてもよい。
【００３８】
再生状況収集サーバ４０は、受信した情報を端末スピーカー音量履歴記憶部１２２に記録する（ステップＳ２０２）。図７に示すように、端末スピーカー音量履歴記憶部１２２に記録されたスピーカー音量履歴の１レコードには、履歴取得日時、ユーザ端末３０の識別子（端末識別子）、ユーザ端末３０のスピーカーの音量の情報が含まれる。ユーザ端末３０の識別子は、Ｃｏｏｋｉｅ、ＡｄＩＤ、その他の識別子であり、事前にモニター対象のユーザ端末３０から、測定タグや調査アプリ等のツールを用いて取得しておくことができる。
【００３９】
再生状況収集サーバ４０は、動画プレイヤー音量履歴記憶部１２１に保持されているログレコードと端末スピーカー音量履歴記憶部１２２に保持されているログレコードを突き合わせ、ユーザ端末３０の識別子（Ｃｏｏｋｉｅ、ＡｄＩＤ等）が同一のレコードをまとめる（ステップＳ２０３）。例えば、図４と図７に示す履歴をまとめると、図８に示すように、端末識別子「００１２」と「００５６」のレコードがまとめられる。図８において、履歴ＮＯ「１」のレコードは動画プレイヤー音量履歴記憶部１２１のレコードであり、履歴ＮＯ「２」のレコードは端末スピーカー音量履歴記憶部１２２のレコードを示している。
【００４０】
再生状況収集サーバ４０は、ステップＳ２０３でまとめた同一端末のレコードについて、履歴取得日時が近いもの（履歴取得日時の差分が所定値以内のレコード）を照合し、動画プレイヤーの音量と端末スピーカーの音量がいずれも一定の閾値以上である場合（または、いずれもＯＮの状態であった場合）には、その時再生されていた動画は音声が聴こえる状態で再生されていたと判断する（ステップＳ２０４）。
【００４１】
図８の例を用いて具体的に説明すると、端末識別子「００１２」のレコードについては、レコードＮＯ１とレコードＮＯ３の履歴取得日時が一致しているため、照合を行う。照合の結果動画プレイヤーの音量と端末スピーカーの音量が共に「３」であるため、この時再生された動画「ＡＤ０１」は音声が聴こえる状態で再生されていたと判断される。また、レコードＮＯ２とレコードＮＯ５の履歴取得日時も一致しているため、照合を行う。照合の結果、動画プレイヤーの音量と端末スピーカーの音量が共に「３」であるため、この時再生された動画「ＡＤ０２」は音声が聴こえる状態で再生されていたと判断される。
【００４２】
また、端末識別子「００５６」のレコードについては、レコードＮＯ６とレコードＮＯ７の履歴取得日時が一致しているため、照合を行う。照合の結果動画プレイヤーの音量は「３」であるが、端末スピーカーの音量は「０」であるため、この時再生された動画「ＡＤ０１」は音声が聴こえない状態で再生されていたと判断される。
【００４３】
（音声付き動画の再生状況の調査）
再生状況収集サーバ４０は、ステップＳ２０４の照合結果に基づいて、動画広告毎に、音声が聴こえる状態で再生された回数や割合を求めることができる。例えば、図８に示す例では、動画「ＡＤ０１」については、音声が聴こえる状態で再生されたのは、端末「００１２」における１回であるため、音声が聴こえる状態で再生された割合は、１（音声が聴こえる状態で再生された回数）／２（端末「００１２」で１回、端末「００５６」で１回）で５０％となる。同様に、動画「ＡＤ０２」についても、音声が聴こえる状態で再生されたのは、端末「００１２」における１回であるため、音声が聴こえる状態で再生された割合は、１（音声が聴こえる状態で再生された回数）／１（端末「００１２」で１回）で１００％となる。
【００４４】
さらに、図４に例示する履歴では、動画「ＡＤ０１」の全再生回数は４回、動画「ＡＤ０２」の全再生回数は２回である。したがって、上記の割合（５０％および１００％）を全再生回数に適用すると、動画「ＡＤ０１」は、４×０．５＝２（回）、動画「ＡＤ０２」は、２×１．０＝２（回）となり、それぞれの動画について、音声が聴こえる状態で再生された回数を推定することができる。
【００４５】
以上のように、本実施形態によれば、音声付き動画広告に付帯されている動画プレイヤーの音量だけでなく、ユーザ端末３０に実装されているスピーカーの音量についても、履歴を収集し、動画を再生した時の動画プレイヤーの音量と端末のスピーカーの音量の両方を考慮することにより、音声付き動画が、実際に音声が聴こえる状態で再生されたかどうかをより正確に把握することができる。
【００４６】
また、ユーザ端末３０に実装されているスピーカーの音量は、事前にインストールされたソフトウェアメータを利用して、ユーザ端末３０のオペレーティングシステムが管理するＡＰＩを参照することで取得するようにした。これにより、簡易な方法で、ユーザ端末３０に実装されているスピーカーの音量の履歴を確実に取得することができる。
【００４７】
なお、本発明は、上述した実施形態に限定されるものではなく、本発明の要旨を逸脱しない範囲内において、他の様々な形で実施することができる。このため、上記実施形態はあらゆる点で単なる例示にすぎず、限定的に解釈されるものではない。例えば、上述した各処理ステップは処理内容に矛盾を生じない範囲で任意に順番を変更し、または並列に実行することができる。また、各処理ステップ間に他のステップを追加してもよい。また、１ステップとして記載されているステップを、複数ステップに分けて実行してもよいし、複数ステップに分けて記載されているものを、１ステップとして把握することもできる。
【符号の説明】
【００４８】
１…再生状況調査システム
１０，４０…再生状況収集サーバ
１１，４１…コントローラ
１２，４２…記憶装置
２０…コンテンツ配信サーバ
２１…コントローラ
２２…記憶装置
３０…ユーザ端末
３１…プロセッサ
３２…入力装置
３３…表示装置
３４…通信インタフェース
３５…記憶装置
１１１…動画プレイヤー音量取得部
１１２…コンテンツ再生状況判断部
１１３…端末スピーカー音量取得部
１１４…履歴情報照合部
１２１…動画プレイヤー音量履歴記憶部
１２２…端末スピーカー音量履歴記憶部
【図１】
2020009000.tif 000003
【図２】
2020009000.tif 000004
【図３】
2020009000.tif 000005
【図４】
2020009000.tif 000006
【図５】
2020009000.tif 000007
【図６】
2020009000.tif 000008
【図７】
2020009000.tif 000009
【図８】
2020009000.tif 000010
【手続補正書】
【提出日】令和1年7月25日(2019.7.25)
【手続補正１】
【補正対象書類名】特許請求の範囲
【補正対象項目名】全文
【補正方法】変更
【補正の内容】
【特許請求の範囲】
【請求項１】
音声のみ又は音声を含むコンテンツの再生状況を解析する再生状況調査システムであって、
再生装置において前記コンテンツが再生されている時の再生ソフトウェアの音量と、前記再生装置を特定する識別子と、を含む再生ソフトウェア音量履歴情報を取得する再生ソフトウェア音量取得部と、
前記再生ソフトウェア音量履歴情報を前記コンテンツ毎に管理し、各履歴情報に含まれる再生ソフトウェア音量に基づいて、前記再生ソフトウェア音量が所定値以上かどうかを判断するコンテンツ再生状況判断部と、
前記再生装置に実装されたスピーカーの音量を含むスピーカー音量履歴情報を取得するスピーカー音量取得部と、
同一の再生装置において同時間帯に取得された、前記再生ソフトウェア音量履歴情報と前記スピーカー音量履歴情報を照合する履歴情報照合部と、を備え、
前記コンテンツ再生状況判断部は、
照合した２つの履歴情報にそれぞれ含まれる再生ソフトウェア音量とスピーカー音量に基づいて、それぞれの音量が所定値以上かどうかを判断する、再生状況調査システム。
【請求項２】
前記再生ソフトウェア音量取得部は、
前記コンテンツに付帯された再生ソフトウェアに組み込まれたツールを介して、再生ソフトウェアの音量と、前記再生装置を特定する識別子を取得する、請求項１に記載の再生状況調査システム。
【請求項３】
前記スピーカー音量取得部は、
前記再生装置にインストールされたツールを用いて、前記再生装置のオペレーティングシステムが管理するＡＰＩを参照することにより、前記再生装置に実装されたスピーカーの音量を取得する、請求項１または２に記載の再生状況調査システム。
【請求項４】
コンピュータによって、音声を含むコンテンツの再生状況を解析する再生状況調査方法であって、
前記コンピュータが、再生装置において前記コンテンツが再生されている時の再生ソフトウェアの音量と、前記再生装置を特定する識別子と、を含む再生ソフトウェア音量履歴情報を取得する工程と、
前記コンピュータが、前記再生装置に実装されたスピーカーの音量を含むスピーカー音量履歴情報を取得する工程と、
前記コンピュータが、同一の再生装置において同時間帯に取得された、前記再生ソフトウェア音量履歴情報と前記スピーカー音量履歴情報を照合する工程と、
前記コンピュータが、前記再生ソフトウェア音量履歴情報と前記スピーカー音量履歴情報を前記コンテンツ毎に管理し、照合した２つの履歴情報にそれぞれ含まれる再生ソフトウェア音量とスピーカー音量に基づいて、それぞれの音量が所定値以上かどうかを判断する工程と、を備えた再生状況調査方法。
【請求項５】
コンピュータを
再生装置において音声のみ又は音声を含むコンテンツが再生されている時の再生ソフトウェアの音量と、前記再生装置を特定する識別子と、を含む再生ソフトウェア音量履歴情報を取得する再生ソフトウェア音量取得部と、
前記再生ソフトウェア音量履歴情報を前記コンテンツ毎に管理し、各履歴情報に含まれる再生ソフトウェア音量に基づいて、前記再生ソフトウェア音量が所定値以上かどうかを判断するコンテンツ再生状況判断部と、
前記再生装置に実装されたスピーカーの音量を含むスピーカー音量履歴情報を取得するスピーカー音量取得部と、
同一の再生装置において同時間帯に取得された、前記再生ソフトウェア音量履歴情報と前記スピーカー音量履歴情報を照合する履歴情報照合部と、して機能させ、
前記コンテンツ再生状況判断部は、
照合した２つの履歴情報にそれぞれ含まれる再生ソフトウェア音量とスピーカー音量に基づいて、それぞれの音量が所定値以上かどうかを判断する、プログラム。
【請求項６】
音声のみ又は音声を含むコンテンツの再生状況を解析する再生状況調査システムであって、
再生装置において前記コンテンツが再生されている時の再生ソフトウェアの音量と、前記再生装置を特定する識別子と、を含む再生ソフトウェア音量履歴情報を取得する再生ソフトウェア音量取得部と、
前記再生ソフトウェア音量履歴情報を前記コンテンツ毎に管理し、各履歴情報に含まれる再生ソフトウェア音量に基づいて、前記再生ソフトウェア音量が所定値以上かどうかを判断するコンテンツ再生状況判断部と、
前記再生ソフトウェア音量履歴情報に基づいて、コンテンツ毎に、前記再生ソフトウェア音量が所定値以上であった回数および／または全ての再生回数に対する前記再生ソフトウェア音量が所定値以上であった回数の割合を算出する可聴再生回数算出部と、を備えた再生状況調査システム。